(57)【要約】【課題】ストレーナの容易な清掃を可能にする装置を提供する。【解決手段】流入口（１２ａ）および流出口（１２ｂ）を有する本体（１２）と、本体内に配置された弁座（１４）と、弁座に着座するディスク（１６）と、流入口から弁座に至る途中に配置されたストレーナ（２２）とを備え、蒸気配管に組み込まれたディスク・バイメタル型蒸気トラップ（１０）のストレーナを清掃する装置（３０）であって、ストレーナの流入口と反対側の端部にストレーナと連通するように取り付けられた管（３２）と、管の途中に設置された開閉弁（３４）とを備え、管のストレーナと反対側の端（３２ａ）が、蒸気配管の下流側に接続されている装置が提供される。【選択図】  図１
2016169860.tif 000002
【特許請求の範囲】
【請求項１】
流入口および流出口を有する本体と、前記本体内に配置された弁座と、前記弁座に着座するディスクと、前記流入口から前記弁座に至る途中に配置されたストレーナとを備え、蒸気配管に組み込まれたディスク・バイメタル型蒸気トラップの前記ストレーナを清掃する装置であって、
前記ストレーナの前記流入口と反対側の端部に前記ストレーナと連通するように取り付けられた管と、
前記管の途中に設置された開閉弁とを備え、
前記管の前記ストレーナと反対側の端が、前記蒸気配管の下流側に接続されていることを特徴とする装置。
【請求項２】
流入口および流出口を有する本体と、前記本体内に配置された弁座と、前記弁座に着座するディスクと、前記流入口から前記弁座に至る途中に配置されたストレーナとを備え、蒸気配管に組み込まれたディスク・バイメタル型蒸気トラップの前記ストレーナを清掃する装置であって、
前記ストレーナの前記流入口と反対側の端部に前記ストレーナと連通するように取り付けられ、前記ストレーナと反対側の端が開放した管と、
前記管の途中に設置された開閉弁と、
を備えていることを特徴とする装置。
【請求項３】
流入口、流出口および分岐路を有する本体を備え、前記分岐路にストレーナが配置され、前記分岐路の先端がキャップで閉鎖されているＹ形ストレーナを清掃する装置であって、
前記キャップに穴を設け、
前記キャップに前記ストレーナと連通するように取り付けられた管と、
前記管に設置された開閉弁と、
を備えていることを特徴とする装置。
【発明の詳細な説明】
【技術分野】
【０００１】
本発明は、ストレーナの容易な清掃を可能にするストレーナ清掃装置に関する。本発明の装置が対象とするストレーナには、蒸気トラップに内蔵されるストレーナ、及びＹ形ストレーナが含まれる。
【背景技術】
【０００２】
流体（液体、気体、蒸気）中のゴミ等の異物を除去するストレーナは、配管系設備においては、必要不可欠な装置として知られている。
【０００３】
工場等では加熱や動力源等の種々の用途に蒸気が用いられており、このような場合には、ボイラで生成された蒸気を使用箇所に供給する蒸気供給設備が設置されている。蒸気は潜熱を放出すると凝縮してドレンになるが、発生したドレンを蒸気供給設備内に放置しておくと、湿り蒸気となり種々の障害が発生するため、ドレンを速やかに除去することが望まれる。このような目的のため、通常、蒸気供給設備に蒸気トラップが設置されている。
【０００４】
蒸気トラップが設置される場合には、一般的に、メンテナンスを容易にする等のため、蒸気トラップの周辺に、トラップ入口弁、トラップ出口弁、バイパス弁、ストレーナが設置される（図７参照）。トラップ入口弁は、蒸気の流入を一時的に閉止して分解や部品交換を行うためのものであり、トラップ出口弁は、ドレン回収の回路の形成時に蒸気トラップの出口側からの蒸気やドレンの流入を一時的に閉止して分解や部品交換を行うためのものである。また、トラップ入口弁およびトラップ出口弁を閉止すると蒸気トラップからのドレンの排出ができなくなるが、バイパス弁を開けることにより、ドレンを排出させ、かつ、蒸気トラップの分解や部品交換等を行うことができる。さらに、錆やスケール等の異物が蒸気トラップに流入すると作動障害を引き起こすことがあるが、ストレーナを設けて異物を捕捉することにより、作動障害の発生を未然に防いでいる。
【０００５】
また、一般的な配管系においては、流体中のゴミを除去するため、所望箇所にＹ形ストレーナが設置されている。
【発明の概要】
【発明が解決しようとする課題】
【０００６】
上述のように、蒸気トラップの周辺に設置されたストレーナ及びＹ形ストレーナには、異物が捕捉されるため、定期的に清掃して異物を除去しなければならない。しかしながら、異物の除去作業は手間がかかるという弊害がある。一方、ストレーナの清掃を怠ると、蒸気トラップや配管系の作動障害を引き起こすおそれがある。
【０００７】
本発明は、このような状況に鑑みて開発されたものであって、蒸気トラップに内蔵されたストレーナ及びＹ形ストレーナの容易な清掃を可能にする装置を提供することを目的としている。
【課題を解決するための手段】
【０００８】
本願請求項１に記載された、流入口および流出口を有する本体と、前記本体内に配置された弁座と、前記弁座に着座するディスクと、前記流入口から前記弁座に至る途中に配置されたストレーナとを備え、蒸気配管に組み込まれたディスク・バイメタル型蒸気トラップの前記ストレーナを清掃する装置は、前記ストレーナの前記流入口と反対側の端部に前記ストレーナと連通するように取り付けられた管と、前記管の途中に設置された開閉弁とを備え、前記管の前記ストレーナと反対側の端が、前記蒸気配管の下流側に接続されており、バイパス弁兼用ともなることを特徴とするものである。
【０００９】
本願請求項２に記載された、流入口および流出口を有する本体と、前記本体内に配置された弁座と、前記弁座に着座するディスクと、前記流入口から前記弁座に至る途中に配置されたストレーナとを備え、蒸気配管に組み込まれたディスク・バイメタル型蒸気トラップの前記ストレーナを清掃する装置は、前記ストレーナの前記流入口と反対側の端部に前記ストレーナと連通するように取り付けられ、前記ストレーナと反対側の端が開放した管と、前記管の途中に設置された開閉弁とを備えていることを特徴とするものである。
【００１０】
本願請求項３に記載された、流入口、流出口および分岐路を有する本体を備え、前記分岐路にストレーナが配置され、前記分岐路の先端がキャップで閉鎖されているＹ形ストレーナを清掃する装置は、前記キャップに穴を設け、前記キャップに前記ストレーナと連通するように取り付けられた管と、前記管に設置された開閉弁とを備えていることを特徴とするものである。
【発明の効果】
【００１１】
本発明のストレーナ清掃装置によれば、開閉弁を開放するのみで、ストレーナの清掃を簡単に行うことができる。本発明のストレーナ清掃装置は、既存のストレーナ内蔵式ディスク・バイメタル型蒸気トラップやＹ形ストレーナを改造することにより簡単に製造することができるので、製造コストが廉価である。また、本発明のストレーナ清掃装置は、構造が簡単であるので、メンテナンスが容易である。さらに、本発明の第１の実施形態に係るストレーナ清掃装置のうちバイパス路を形成する形態では、装置自体がバイパス路となるので、新たにバイパス路を形成する必要がない。
【図面の簡単な説明】
【００１２】
【図１】本発明の第１の実施形態に係るストレーナ清掃装置が水平方向に延びた蒸気配管に組み込まれている例を示した図である。
【図２】図１の部分２の拡大断面図である。
【図３】図１のストレーナ清掃装置の作動を示した一連の図である。
【図４】図４（ａ）は、図１のストレーナ清掃装置が垂直方向に延びた配管設備に組み込まれている例を示した図、図４（ｂ）および図４（ｃ）は、ストレーナ清掃装置の管が外部に開放している形態を示した図である。
【図５】本発明の第２の実施形態に係るストレーナ清掃装置の拡大断面図である。
【図６】図５のストレーナ清掃装置の作動を示した図である。
【図７】蒸気トラップ周辺の従来の配管設備の例を示した図である。
【発明を実施するための形態】
【００１３】
次に図面を参照して、本発明の好ましい実施の形態に係るストレーナ清掃装置について詳細に説明する。まず最初に、本発明の第１の実施形態である蒸気トラップに内蔵されたストレーナ清掃装置について説明する。図１は、本発明の第１の実施形態に係るストレーナ清掃装置が水平方向に延びた蒸気配管に組み込まれている例を示した図である。図１において参照符号１０は、蒸気トラップを示しており、図２は、図１の部分２の拡大図である。
【００１４】
蒸気トラップ１０は、流入口１２ａおよび流出口１２ｂを有する本体１２と、本体１２内に配置された弁座１４と、弁座に着座するディスク１６と、弁座１４に隣接して取り付けられたバイメタルリング１８とを備えており、本体１２内の温度が一定値以下の場合にはバイメタルリング１８が縮小してディスク１６を上昇させ、本体１２内の温度が一定値以上の場合にはバイメタルリング１８が拡大してディスク１６を下降させて弁座１４に着座させるように構成されている。本体１２の上方には、保温カバー２０が配置されており、流入口１２ａから弁座１４に至る途中にはストレーナ２２が配置されている。以上の蒸気トラップ１０の構造は、ストレーナ内蔵式ディスク・バイメタル型蒸気トラップと称する公知のものである。
【００１５】
本発明の第１の実施形態に係るストレーナ清掃装置３０は、ストレーナ２２の流入口１２ａと反対側の端部２２ａにストレーナ２２と連通するように取り付けられた管３２と、管３２の途中に設置された開閉弁３４とを備えている。管３２のストレーナ２２と反対側の端３２ａは、蒸気配管の下流側に接続されている。管３２は、図１に示されるように、蒸気配管のバイパス路を形成する。なお、管３２としては通常、銅管が使用される。好ましくは、管３２には、開閉弁３４と端３２ａとの間に、検査用の弁３６が設けられている。
【００１６】
次に図３を参照して、以上のように構成された蒸気トラップ１０およびストレーナ清掃装置３０の作動について説明する。蒸気トラップ１０の通常使用時には、開閉弁３４を閉鎖しておく。蒸気配管に蒸気が供給される前は、蒸気トラップ１０の本体１２内が低温であるため、バイメタルリング１８は縮閉してディスク１６を上昇させ、開弁状態になっている（図３（ａ）参照）。これにより、蒸気配管内の多量の空気や冷水が蒸気トラップ装置１０から排出される。ドレンの排出が終了して蒸気が蒸気トラップ１０内に流入すると、バイメタルリング１８が膨張拡開してディスク１６を下降させて弁座１４に着座させ、閉弁状態となり、蒸気は蒸気トラップ１０を通過する（図３（ｂ）参照）。そして、ドレンが流入すると、再び開弁状態になり、ドレンを排出する。このようにして、間欠的に開弁／閉弁状態にしてドレンを自動的に排出する。以上の作動は、従来のディスク・バイメタル型蒸気トラップと同様である。
【００１７】
蒸気を供給し続けていると、蒸気に混入している錆やスケール等の異物が蒸気トラップ１０内に流入してストレーナ２２に徐々に捕捉される。そこで、弁３６を閉鎖した状態で開閉弁３４を適宜開放する。開閉弁３４を開放すると、流入口１２ａから流入した蒸気が管３２に流入して開閉弁３４から外部に放出される。その際、ストレーナ２２に捕捉されている異物も一緒に放出される。このようにして、開閉弁３４を操作しさえすれば、ストレーナ２２の清掃を簡単に行うことができる。
【００１８】
図１に示される例では、蒸気配管が水平方向に延びているが、垂直方向に延びた蒸気配管に蒸気トラップ１０およびストレーナ清掃装置３０を組み込んでもよい（図４（ａ）参照）。
【００１９】
また、上述の例では、管３２の端３２ａが蒸気配管の下流側に接続されてバイパス路を形成しているが、管３２の端３２ａを蒸気配管に接続せずに開放状態にしてもよい（図４（ｂ）および（ｃ）参照）。管３２の端３２ａが開放している形態では、開閉弁３４の開放時に蒸気が外部に放出されることとなるが、例えばコンクリート製造工場等、設備が屋外又は半屋内にある場合には、この形態を採用してもよい。
【００２０】
次に、本発明の第２の実施形態に係るストレーナ清掃装置について説明する。図５は、本発明の第２の実施形態に係るストレーナ清掃装置を示した拡大断面図である。本発明の第２の実施形態に係るストレーナ清掃装置が装備されるＹ形ストレーナ４０は、流入口４２ａ、流出口４２ｂ及び分岐路４２ｃを有する本体４２を備えており、分岐路４２ｃにはストレーナ４４が配置され、分岐路４２ｃの先端はキャップ４２ｄで閉鎖されている。このようなＹ形ストレーナ４０の構成は、公知のＹ形ストレーナの構成と実質的に同一である。
【００２１】
本発明の第２の実施形態に係るストレーナ清掃装置５０は、分岐路４２ｃの先端のキャップ４２ｄに穴４２ｄ１を設け、キャップ４２ｄに分岐路４２ｃ（従って、ストレーナ４４）と連通するように取り付けられた管５２と、管に設置された開閉弁５４とを備えている。
【００２２】
図６を参照して、以上のように構成されたストレーナ清掃装置５０の作動について説明する。配管系の通常運転時には、ストレーナ清掃装置５０の開閉弁５４を閉鎖しておく（図６（ａ）参照）。すると、流入口４２ａから流入した流体は、ストレーナ４４を経て流出口４２ｂから流出する。その際、流体中の異物は、ストレーナ４４に捕捉される。一方、ストレーナ４４の清掃時には、ストレーナ清掃装置５０の開閉弁５４を開放する（図６（ｂ）参照）。すると、流入口４２ａから流入した流体は、ストレーナ４４を経て管５２から勢いよく流出するが、その際、流体と一緒に、ストレーナ４４に捕捉された異物も流体の圧力を受けてストレーナ４４から取り除かれて流出するので、ストレーナ４４に捕捉された異物を容易に除去することができる。なお、ストレーナ清掃装置５０は、検水の確認と流体の分析（配管系を流体が流れているか否かの確認と流体の分析）という二次的効果も有している。
【００２３】
本発明の第２の実施形態に係るストレーナ清掃装置５０が装備されるＹ形ストレーナ４０は、液体、気体、蒸気中の異物を除去するのに用いられる。
【００２４】
本発明は、以上の発明の実施の形態に限定されることなく、特許請求の範囲に記載された発明の範囲内で、種々の変更が可能であり、それらも本発明の範囲内に包含されるものであることはいうまでもない。
【００２５】
たとえば、図示された本体１２等の形状、寸法等は、単なる例示なものであり、図示された以外の形状、寸法等を採用してもかまわない。
【符号の説明】
【００２６】
１０  蒸気トラップ
１２  本体
１２ａ  流入口
１２ｂ  流出口
１４  弁座
１６  ディスク
１８  バイメタルリング
２０  保温カバー
２２  ストレーナ
３０  ストレーナ清掃装置（第１の実施形態）
３２  管
３４  開閉弁
３６  弁
４０  Ｙ形ストレーナ
４２  本体
４２ａ  流入口
４２ｂ  流出口
４２ｃ  分岐路
４２ｄ  キャップ
４２ｄ１  穴
４４  ストレーナ
５０  ストレーナ清掃装置（第２の実施形態）
５２  管
５４  開閉弁
【図１】
2016169860.tif 000003
【図２】
2016169860.tif 000004
【図３】
2016169860.tif 000005
【図４】
2016169860.tif 000006
【図５】
2016169860.tif 000007
【図６】
2016169860.tif 000008
【図７】
2016169860.tif 000009